(57)【要約】【課題】  自動拳銃を収容した状態で、自動拳銃のロック機構を有効に機能させることのできる自動拳銃用ホルスターを提供する。【解決手段】  ブローバック式自動拳銃用のホルスター１は、自動拳銃９を収容するケース本体２と、ケース本体２に収容した自動拳銃９を固定する固定手段を備えて構成され、ケース本体２の内部には、自動拳銃９をケース本体２に収容固定した状態において、自動拳銃９のトリガーガード９５に当接して自動拳銃の銃本体を支持するトリガーガード支持部２２と、自動拳銃９のスライド先端部９７に当接してスライド９１を支持するスライド支持部２３とが形成される。第１及び第２の支持部は、自動拳銃９の非収容状態におけるスライド先端部９７とトリガーガード９５との距離よりも短い間隔に形成されており、自動拳銃９を収容した状態においてスライド９１を後退させた位置に固定する。【選択図】  図２
2008082558.tif 000002
【特許請求の範囲】
【請求項１】
ブローバック式自動拳銃用のホルスターであって、
前記自動拳銃を収容するケース本体と、
前記ケース本体に収容した前記自動拳銃を固定する固定手段とを備え、
前記ケース本体の内部には、前記自動拳銃を前記ケース本体に収容固定した状態において、前記自動拳銃のトリガーガードに当接して前記自動拳銃の銃本体を支持する第１の支持部と、前記自動拳銃のスライド先端部に当接して前記スライドを支持する第２の支持部とが形成されており、
前記第１及び第２の支持部は、前記自動拳銃の非収容状態における前記スライド先端部と前記トリガーガードとの距離よりも短い間隔に形成されることを特徴とする自動拳銃用ホルスター。
【請求項２】
前記ケース本体の底部に開口が形成されており、
前記第２の支持部は、前記開口の周縁部から開口内側に向かって突設され、前記自動拳銃を前記ケース本体に収容固定した状態において前記スライド先端部の少なくとも一部を支持する請求項１記載の自動拳銃用ホルスター。
【発明の詳細な説明】
【技術分野】
【０００１】
本発明は、ブローバック式自動拳銃（実銃、ガスガン、エアガン等を広く含む。以下同じ。）を収容するためのホルスターに関する。
【背景技術】
【０００２】
図５はブローバック式自動拳銃９の一例を示す図である。尚、同図においては紙面右方向を自動拳銃９の前方向と規定し、紙面左方向を後方向と規定する。この自動拳銃９は、銃身や撃発機構を覆うスライド９１が銃本体９２に対して前後方向に摺動するように構成される。そして図５（Ｂ）に示すように、スライド９１を後方に引くことにより、グリップ部９３の内部に収容されたマガジンから弾丸が持ち上がり、スライド９１が前方に戻るときに弾丸が薬室（チェンバー）に装填される。また弾丸発射時には、スライド９１がブローバックして弾丸の自動装填が行われる。
【０００３】
このような自動拳銃９には、暴発を防止するために種々の安全装置が設けられており、特に拳銃を使用しないことが明らかなホルスターに収容した状態では、それら安全装置のすべてが有効に機能することが好ましい。
【発明の開示】
【発明が解決しようとする課題】
【０００４】
ところが、自動拳銃９は、安全装置の一つとして、スライド９１が若干後方側に移動すると、トリガー９４若しくはハンマー９６をロックする機構を備えているものの、自動拳銃９がホルスターに収容されている状態ではスライド９１が最前位置にあるので、上記ロック機構がアンロック状態になるという問題があった。
【０００５】
本発明は、上記問題点を解決することを目的としてなされたものであり、自動拳銃を収容した状態で、自動拳銃の上記ロック機構を有効に機能させることの可能な自動拳銃用ホルスターを提供するものである。
【課題を解決するための手段】
【０００６】
上記目的を達成するため、本発明に係る自動拳銃用ホルスターは、ブローバック式自動拳銃を収容するためのものであり、前記自動拳銃を収容するケース本体と、前記ケース本体に収容した前記自動拳銃を固定する固定手段とを備え、前記ケース本体の内部には、前記自動拳銃を前記ケース本体に収容固定した状態において、前記自動拳銃のトリガーガードに当接して前記自動拳銃の銃本体を支持する第１の支持部と、前記自動拳銃のスライド先端部に当接して前記スライドを支持する第２の支持部とが形成されており、前記第１及び第２の支持部は、前記自動拳銃の非収容状態における前記スライド先端部と前記トリガーガードとの距離よりも短い間隔に形成されることを特徴とするものである。
【０００７】
また、上記の自動拳銃用ホルスターにおいては、前記ケース本体の底部に開口が形成されており、前記第２の支持部が、前記開口の周縁部から開口内側に向かって突設され、前記自動拳銃を前記ケース本体に収容固定した状態において前記スライド先端部の少なくとも一部を支持するように構成されることが好ましい。
【発明の効果】
【０００８】
本発明に係る自動拳銃用ホルスターは、上記のような特徴的構造を備えているので、自動拳銃のロック機構を有効に機能させた状態で、自動拳銃を収容しておくことが可能である。
【０００９】
即ち、本発明に係る自動拳銃用ホルスターによれば、自動拳銃をケース本体に収容固定すると、第１の支持部が自動拳銃のトリガーガードに当接して銃本体を支持する状態になり、かつ第２の支持部が自動拳銃のスライド先端部に当接してスライドを支持する状態になる。ここで、第１及び第２の支持部は、自動拳銃の非収容状態（即ち、スライドが最前位置にある状態）におけるスライド先端部とトリガーガードとの距離よりも短い間隔に形成されているので、第１の支持部が銃本体を支持し、かつ第２の支持部がスライドを支持した状態では、必然的にスライドが後方に移動した状態となり、自動拳銃のロック機構が有効に機能した状態で固定されることになる。
【００１０】
また、ケース本体の底部に開口が形成され、第２の支持部が、その開口の周縁部から開口内側に向かって突設され、自動拳銃をケース本体に収容固定した状態においてスライド先端部の少なくとも一部を支持するように構成すれば、銃身が外部に露出するタイプのホルスターで、かつロック機構が有効に機能した状態で自動拳銃を収容固定できるホルスターを実現することができる。特に、銃身がスライドよりも前方側に長く形成された自動拳銃を収容対象とする場合であっても、その自動拳銃を収容固定したときにはロック機構を有効に機能させることができるものである。
【発明を実施するための最良の形態】
【００１１】
以下図面に基づいて本発明の好ましい実施形態を詳述する。
【００１２】
図１は、本発明に係る自動拳銃用ホルスター（以下、単に「ホルスター」という。）１の一例を示す図であり、（Ａ）は外観斜視図を、（Ｂ）は断面図を示している。このホルスター１は、図５に示すような特定の自動拳銃９を収容するためのものであり、収容対象となる自動拳銃９のサイズに適合させて形成されるものである。
【００１３】
ホルスター１は、自動拳銃９を収容する収容空間２ａの形成された袋状のケース本体２と、そのケース本体２に自動拳銃９を収容した状態でグリップ部９３を係止する固定ベルト３とを備えている。固定ベルト３はケース本体２に収容した自動拳銃９を固定した状態で保持するための固定手段として設けられるものである。固定ベルト３の先端部には、ケース本体２の側面に設けられた突起部２１と嵌合するボタン状の嵌合部３１が設けられており、突起部２１と嵌合部３１とが嵌合することで固定ベルト３が自動拳銃９を収容状態で締着固定する。
【００１４】
尚、自動拳銃９をケース本体２に収容した状態で固定する固定手段としては、上記のような固定ベルト３の他にも種々の態様のものを適用することができる。例えば、ケース本体２の収容空間２ａ内に、トリガーガードのリング内側と係止する係止部材を設け、ケース本体２に自動拳銃９を収容したときに、該係止部材がトリガーガードと係止することにより自動拳銃９がケース本体２に固定されるようにした固定手段を構成してもよい。この場合、係止部材を、弾性を有する樹脂材料等でテーパ状の斜面を有する突起物としてケース本体内部に一体的に形成すれば、自動拳銃９を収容する時（又は引き抜く時）には係止部材が有する弾性力に勝る比較的大きな力で挿入（又は引き抜き）することにより自動拳銃９の収容（又は取り出し）ができるようになる。また、係止部材による係止状態を解除するために、係止部材に連結された解除レバーをケース本体の収容口付近に設け、自動拳銃９を引き抜く時には、該解除レバーを操作することにより、係止状態が解除されるようにしてもよい。更に、他の固定手段として、例えばケース本体２の収容口に回動可能なアーチ状の止め具を設け、自動拳銃９をケース本体２に収容したときに該止め具を回動させて起立状態とすることにより、該止め具が銃本体を係止して固定状態とする構成を採用することもできる。本発明は上記の固定手段のいずれも適用できるものであるが、以下の実施例においては図１に示す如く固定ベルト３を固定手段として採用した場合を例示する。
【００１５】
ケース本体２の内部には、図１（Ｂ）に示す如く自動拳銃９のトリガーガード９５の前端部に当接して銃本体９２を支持するトリガーガード支持部（第１の支持部）２２が形成され、そのトリガーガード支持部２２よりも下方側は深さＤのスライド収容空間となっている。そのスライド収容空間の底部は袋状ケース本体の底部になるとともに、その底部にスライド９１の先端部に当接してスライド９１を支持するスライド支持部（第２の支持部）２３が形成されている。
【００１６】
そしてトリガーガード支持部２２とスライド支持部２３との距離Ｄは、自動拳銃９が非収容状態であるときのスライド先端部９７とトリガーガード９５との距離Ｌ１（図５（Ａ）参照）よりも短い間隔に形成される。例えば、図５（Ｂ）に示す如く自動拳銃９のスライド９１が最前位置から後方側に所定量Ｘ以上移動すると、自動拳銃９のトリガー９４又はハンマー９６がロックする場合、ホルスター１におけるトリガーガード支持部２２とスライド支持部２３との距離Ｄは、そのロック機構が作動する距離Ｌ２よりも短く形成される。
【００１７】
図２は、自動拳銃９をホルスター１に収容した状態を示す断面図である。図２に示す如く、自動拳銃９をホルスター１に収容し、固定ベルト３（固定手段）で自動拳銃９を固定した場合、自動拳銃９は下向きに付勢され、トリガーガード９５がトリガーガード支持部２２に当接した状態で固定される。このとき、スライド先端部９７はケース本体底部のスライド支持部２３に当接した状態となり、しかもトリガーガード支持部２２とスライド支持部２３との距離Ｄはスライド９１が最前位置にあるときのスライド先端部９７とトリガーガード９５との距離Ｌ１よりも短いので、図５（Ｂ）に矢印Ｆで示す如く、スライド９１が後方側に付勢された状態となる。よって、自動拳銃９がホルスター１に収容され、固定ベルト３（固定手段）によって固定されると、スライド９１はロック機構の作動する位置まで後退して固定されることになり、暴発を防止できるようになる。
【００１８】
以上のように図１及び図２に示すホルスター１は、スライド９１が後退することによる安全装置を有効に機能させた状態で自動拳銃９を収容して固定できることから、極めて安全に自動拳銃９を保持しておくことができるものとなっている。
【００１９】
次に図３は、図１及び図２とは異なるタイプのホルスター１ａを示す断面図である。尚、図３は、図２のホルスター１と同様の部材に同一符号を付したものである。
【００２０】
図３のホルスター１ａは、図１及び図２のホルスター１のようにケース本体２の底部が閉塞したものとは異なり、ケース本体２の底部（下端）に開口２ｂが形成されたものであって、自動拳銃９を収容した状態でスライド先端部９７が外部に露出するタイプのものである。このホルスター１ａは、開口２ｂの周縁部から収容空間内側に向けてスライド先端部９７の少なくとも一部を支持する支持部（第２の支持部）２５が突設された構造を有している。支持部２５はケース本体２の内壁面から略垂直な状態に設けられ、支持部２５の上面とトリガーガード支持部２２との距離Ｄ１はスライド９１が最前位置にあるときのスライド先端部９７とトリガーガード９５との距離Ｌ１（図５（Ａ）参照）よりも短い間隔に形成されたものであり、より具体的にはスライド９１によるロック機構が作動する距離Ｌ２（図５（Ｂ）参照）よりも短く形成されたものである。
【００２１】
このようなホルスター１ａは、自動拳銃９を収容して固定ベルト３で固定した場合、自動拳銃９を下向きに付勢し、トリガーガード９５をトリガーガード支持部２２に当接した状態とする。しかもこのとき、スライド先端部９７の一部はケース本体２の底部開口２ｂに突設された支持部２５に係止された状態となり、スライド９１は上方に押し上げられた状態で固定される。このため、スライド９１はロック機構の作動する位置まで後退して固定されることになる。したがって、図３のホルスター１ａもまた、スライド９１が後方移動することによる安全装置が機能している状態で自動拳銃９を安全に収容しておくことができるものである。
【００２２】
またこのようなホルスター１ａは、自動拳銃９の銃身がスライド先端部９７よりも更に前方側に突出形成されている場合であってもロック機能が有効に作動する位置までスライド９１を押し上げることができるものである。図４はこの場合を例示する図であって、図３のホルスター１ａに、銃身９９がスライド先端部９７から突出したタイプの自動拳銃９を装着した場合を示す図である。このホルスター１ａは、スライド先端部９７が銃身９９の先端部よりも後方位置にある自動拳銃を収容固定する場合、ホルスター底部の開口２ｂから銃身９９の先端部分を外部に露出するとともに、開口内側に向かって突設された支持部２５がスライド先端部９７の一部と係止してスライド９１を後方側に押し上げた状態とするので、この種の自動拳銃であっても安全装置が作動した状態で安全に収容しておくことができるものである。
【００２３】
尚、図３では、支持部２５がスライド先端部９７の下部（図３では左端部）を支持する場合を例示しているが、スライド先端部９７の上部（図３では右端部）を支持するように構成してもよい。
【００２４】
また図３ではホルスター１ａの開口部２ｂに支持部２５が設けられる場合を例示したが、開口部２ｂよりも下方側に支持部２５を延設することもできる。例えば、開口部２ｂの周縁部に、開口部２ｂから更に下方側に延びる支持アームを取り付け、その支持アームに対して支持部２５を設けるようにすればよい。またこの場合、支持アームの長さを調整可能なように構成することにより、スライド長の異なる自動拳銃でも収容可能なホルスターが実現される。
【図面の簡単な説明】
【００２５】
【図１】本発明に係る自動拳銃用ホルスターの一例を示す図である。
【図２】自動拳銃を収容した状態の自動拳銃用ホルスターを示す断面図である。
【図３】図１とは異なる自動拳銃用ホルスターを示す図である。
【図４】図３の自動拳銃用ホルスターに、銃身がスライド先端部から突出したタイプの自動拳銃を装着した場合を示す図である。
【図５】ブローバック式自動拳銃の一例を示す図である。
【符号の説明】
【００２６】
１，１ａ  自動拳銃用ホルスター
２  ケース本体
３  固定ベルト
９  自動拳銃
２２  トリガーガード支持部（第１の支持部）
２３  スライド支持部（第２の支持部）
２５  支持部（第２の支持部）
９１  スライド
９２  銃本体
９５  トリガーガード
９７  スライド先端部
９９  銃身
【図１】
2008082558.tif 000003
【図２】
2008082558.tif 000004
【図３】
2008082558.tif 000005
【図４】
2008082558.tif 000006
【図５】
2008082558.tif 000007